【手続補正書】
【提出日】平成26年11月18日(2014.11.18)
【手続補正１】
【補正対象書類名】特許請求の範囲
【補正対象項目名】全文
【補正方法】変更
【補正の内容】
【特許請求の範囲】
【請求項１】
式：
【化１】
2014237844.tif 000001
［式中、
Ｍ１は：
【化２】
2014237844.tif 000002
から選択される場合により置換されるナフタレンイミドであり；
ここで：
Ｒ１は、各場合において、Ｈ、Ｃ１−４０アルキル基、Ｃ２−４０アルケニル基、Ｃ１−４０ハロアルキル基、及び１〜４個の環状部分から独立して選択され、
ここで：
Ｃ１−４０アルキル基、Ｃ２−４０アルケニル基及びＣ１−４０ハロアルキル基の各々は、ハロゲン、−ＣＮ、ＮＯ２、ＯＨ、−ＮＨ２、−ＮＨ（Ｃ１−２０アルキル）、−Ｎ（Ｃ１−２０アルキル）２、−Ｓ（Ｏ）２ＯＨ、
−ＣＨＯ、−Ｃ（Ｏ）−Ｃ１−２０アルキル、−Ｃ（Ｏ）ＯＨ、−Ｃ（Ｏ）−ＯＣ１−２０アルキル、−Ｃ（Ｏ）ＮＨ２、−Ｃ（Ｏ）ＮＨ−Ｃ１−２０アルキル、−Ｃ（Ｏ）Ｎ（Ｃ１−２０アルキル）２、−ＯＣ１−２０アルキル、−ＳｉＨ３、−ＳｉＨ（Ｃ１−２０アルキル）２、−ＳｉＨ２（Ｃ１−２０アルキル）及び−Ｓｉ（Ｃ１−２０アルキル）３から独立して選択される１〜１０個の置換基で場合により置換されてよく；
Ｃ１−４０アルキル基、Ｃ２−４０アルケニル基及びＣ１−４０ハロアルキル基の各々は、任意のリンカーを介してイミド窒素原子に共有結合してよく；且つ
１〜４個の環状部分の各々は、同一又は異なってよく、任意のリンカーを介して互いに又はイミド窒素に共有結合してよく、ハロゲン、オキソ、−ＣＮ、ＮＯ２、ＯＨ、＝Ｃ（ＣＮ）２、−ＮＨ２、−ＮＨ（Ｃ１−２０アルキル）、−Ｎ（Ｃ１−２０アルキル）２、−Ｓ（Ｏ）２ＯＨ、−ＣＨＯ、−Ｃ（Ｏ）ＯＨ、−Ｃ（Ｏ）−Ｃ１−２０アルキル、−Ｃ（Ｏ）−ＯＣ１−２０アルキル、−Ｃ（Ｏ）ＮＨ２、−Ｃ（Ｏ）ＮＨ−Ｃ１−２０アルキル、−Ｃ（Ｏ）Ｎ（Ｃ１−２０アルキル）２、−ＳｉＨ３、−ＳｉＨ（Ｃ１−２０アルキル）２、
−ＳｉＨ２（Ｃ１−２０アルキル）、−Ｓｉ（Ｃ１−２０アルキル）３、−Ｏ−Ｃ１−２０アルキル、−Ｏ−Ｃ１−２０アルケニル、−Ｏ−Ｃ１−２０ハロアルキル、Ｃ１−２０アルキル基、Ｃ１−２０アルケニル基及びＣ１−２０ハロアルキル基から独立して選択される１〜５個の置換基で場合により置換されてよく；
Ｒ５は、Ｒ１と定義され；
Ｒ６及びＲ７は、Ｈ、電子求引性基、及び場合により１〜５個の電子求引性基で置換されるＣ１−４０アルキル基から独立して選択され；
Ｍ２は、以下の式を有する反復単位であり
Ｍ２が：
【化３】
2014237844.tif 000003
［式中、Ａｒは、各場合において、独立して、場合により、ハロゲン、−ＣＮ、オキソ基、Ｃ１−６アルキル基、Ｃ１−６アルコキシ基、Ｃ１−６ハロアルキル基、ＮＨ２、ＮＨ（Ｃ１−６アルキル）及びＮ（Ｃ１−６アルキル）２から独立して選択される１〜２個の置換基で置換されるチエニル基である；
且つ、ｍ’’は、１、２、３、４、５又は６である］であり、
；且つ
ｎは、２〜５，０００の間の整数である］のポリマー。
【請求項２】
Ｍ１が：
【化４】
2014237844.tif 000004
［式中、Ｒ１、Ｒ５、Ｒ６及びＲ７は、請求項１に定義される通りである］から選択される、請求項１に記載のポリマー。
【請求項３】
Ｒ１及びＲ５が、Ｈ、Ｃ１−４０アルキル基、Ｃ２−４０アルケニル基、Ｃ２−４０アルキニル基、Ｃ１−４０ハロアルキル基、−Ｌ−Ｒａ、−Ｌ−Ａｒ１、−Ｌ−Ａｒ１−Ａｒ１、−Ｌ−Ａｒ１−Ｒａ、−Ｌ−Ａｒ１−Ａｒ１−Ｒａ、−Ｌ−Ｃｙ１、−Ｌ−Ｃｙ１−Ｃｙ１、−Ｌ−Ｃｙ１−Ｒａ及び−Ｌ−Ｃｙ１−Ｃｙ１−Ｒａから選択され；
ここで：
Ｌは、各場合において、−Ｙ−Ｏ−Ｙ−、−Ｙ−［Ｓ（Ｏ）ｗ］−Ｙ−、
−Ｙ−Ｃ（Ｏ）−Ｙ−、−Ｙ−［ＮＲｃＣ（Ｏ）］−Ｙ−、−Ｙ−［Ｃ（Ｏ）ＮＲｃ］−、−Ｙ−ＮＲｃ−、−Ｙ−［ＳｉＲｃ２］−Ｙ−、二価のＣ１−２０アルキル基、二価のＣ１−２０アルケニル基、二価のＣ１−２０ハロアルキル基及び共有結合から独立して選択され；
Ａｒ１は、各場合において、独立して一価又は二価のＣ６−１４アリール基又は５〜１４員環ヘテロアリール基であり、各々は、ハロゲン、−ＣＮ、オキソ、＝Ｃ（ＣＮ）２、Ｃ１−６アルキル基、Ｃ１−６アルコキシ基及びＣ１−６ハロアルキル基から独立して選択される１〜５個の置換基で場合により置換され；
Ｃｙ１は、各場合において、独立して一価又は二価のＣ３−１４シクロアルキル基又は３〜１４員環シクロヘテロアルキル基であり、各々は、ハロゲン、−ＣＮ、オキソ、＝Ｃ（ＣＮ）２、Ｃ１−６アルキル基、Ｃ１−６アルコキシ基及びＣ１−６ハロアルキル基から独立して選択される１〜５個の置換基で場合により置換され；且つ
Ｒａは、各場合において、Ｃ１−４０アルキル基、Ｃ２−４０アルケニル基、Ｃ２−４０アルキニル基、Ｃ１−４０ハロアルキル基、Ｃ１−４０アルコキシ基、−Ｌ’−Ｒｂ、−Ｌ’−Ａｒ２、−Ｌ’−Ａｒ２−Ａｒ２、−Ｌ’−Ａｒ２−Ｒｂ、−Ｌ’−Ａｒ２−Ａｒ２−Ｒｂ、−Ｌ’−Ｃｙ２、−Ｌ’−Ｃｙ２−Ｃｙ２、−Ｌ’−Ｃｙ２−Ｒｂ、−Ｌ’−Ｃｙ２−Ｃｙ２−Ｒｂから独立して選択され；
ここで：
Ｌ’は、各場合において、−Ｙ−Ｏ−Ｙ−、−Ｙ−［Ｓ（Ｏ）ｗ］−Ｙ−、−Ｙ−Ｃ（Ｏ）−Ｙ−、−Ｙ−［ＮＲｃＣ（Ｏ）］−Ｙ−、−Ｙ−［Ｃ（Ｏ）ＮＲｃ］−、−Ｙ−ＮＲｃ−、−Ｙ−［ＳｉＲｃ２］−Ｙ−、二価のＣ１−２０アルキル基、二価のＣ１−２０アルケニル基、二価のＣ１−２０ハロアルキル基及び共有結合から独立して選択され；
Ａｒ２は、各場合において、独立して一価又は二価のＣ６−１４アリール基又は５〜１４員環ヘテロアリール基であり、各々は、ハロゲン、−ＣＮ、オキソ、＝Ｃ（ＣＮ）２、Ｃ１−６アルキル基、Ｃ１−６アルコキシ基及びＣ１−６ハロアルキル基から独立して選択される１〜５個の置換基で場合により置換され；
Ｃｙ２は、各場合において、独立して一価又は二価のＣ３−１４シクロアルキル基又は３〜１４員環シクロヘテロアルキル基であり、各々は、ハロゲン、−ＣＮ、オキソ、＝Ｃ（ＣＮ）２、Ｃ１−６アルキル基、Ｃ１−６アルコキシ基及びＣ１−６ハロアルキル基から独立して選択される１〜５個の置換基で場合により置換され；
Ｒｂは、各場合において、Ｃ１−４０アルキル基、Ｃ２−４０アルケニル基、Ｃ２−４０アルキニル基、Ｃ１−４０ハロアルキル基及びＣ１−４０アルコキシ基から独立して選択され；
Ｒｃは、各場合において、Ｈ、Ｃ１−６アルキル基及び−Ｙ−Ｃ６−１４アリール基から独立して選択され；
Ｙは、各場合において、二価のＣ１−６アルキル基、二価のＣ１−６ハロアルキル基及び共有結合から独立して選択され；且つ
ｗは、０、１又は２である、請求項１又は２に記載のポリマー。
【請求項４】
Ｒ１及びＲ５が：
【化５】
2014237844.tif 000005
【化６】
2014237844.tif 000006
から選択される、請求項１から３までのいずれか１項に記載のポリマー。
【請求項５】
Ｒ１及びＲ５が、分枝鎖状Ｃ３−４０アルキル基又は分枝鎖状Ｃ３−４０アルケニル基から選択されるか、又は
Ｒ１及びＲ５が、
【化７】
2014237844.tif 000007
から選択される、請求項１から３までのいずれか１項に記載のポリマー。
【請求項６】
Ｒ６及びＲ７が、Ｈ、ハロゲン、−ＣＮ及びＣ１−１０ハロアルキル基から独立して選択される、請求項１から５までのいずれか１項に記載のポリマー。
【請求項７】
Ｍ２が：
【化８】
2014237844.tif 000008
［式中、Ｒ４は、各場合において、Ｈ、ハロゲン、−ＣＮ、Ｃ１−4０アルキル基、Ｃ１−4０アルコキシ基及びＣ１−4０ハロアルキル基から独立して選択される］
から選択される、請求項１から６までのいずれか１項に記載のポリマー。
【請求項８】
Ｍ２が：
【化９】
2014237844.tif 000009
［式中、Ｒ３は、各場合において、ハロゲン、−ＣＮ、Ｃ１−4０アルキル基、Ｃ１−4０アルコキシ基及びＣ１−4０ハロアルキル基から独立して選択される］
から選択される、請求項７に記載のポリマー。
【請求項９】
式Ｉａ、Ｉｂ又は両方：
【化１０】
2014237844.tif 000010
［式中、Ｒ１は、各場合において、Ｈ、Ｃ１−4０アルキル基、Ｃ2−4０アルケニル基、Ｃ１−4０ハロアルキル基及び１〜４個の環状部分から独立して選択され、
ここで：
Ｃ１−４０アルキル基、Ｃ２−４０アルケニル基及びＣ１−４０ハロアルキル基の各々は、ハロゲン、−ＣＮ、ＮＯ２、ＯＨ、−ＮＨ２、−ＮＨ（Ｃ１−２０アルキル）、−Ｎ（Ｃ１−２０アルキル）２、−Ｓ（Ｏ）２ＯＨ、
−ＣＨＯ、−Ｃ（Ｏ）−Ｃ１−２０アルキル、−Ｃ（Ｏ）ＯＨ、−Ｃ（Ｏ）−ＯＣ１−２０アルキル、−Ｃ（Ｏ）ＮＨ２、−Ｃ（Ｏ）ＮＨ−Ｃ１−２０アルキル、−Ｃ（Ｏ）Ｎ（Ｃ１−２０アルキル）２、−ＯＣ１−２０アルキル、−ＳｉＨ３、−ＳｉＨ（Ｃ１−２０アルキル）２、−ＳｉＨ２（Ｃ１−２０アルキル）及び−Ｓｉ（Ｃ１−２０アルキル）３から独立して選択される１〜１０個の置換基で場合により置換されてよく；
Ｃ１−４０アルキル基、Ｃ２−４０アルケニル基及びＣ１−４０ハロアルキル基の各々は、任意のリンカーを介してイミド窒素原子に共有結合してよく；且つ
１〜４個の環状部分の各々は、同一又は異なってよく、任意のリンカーを介して互いに又はイミド窒素に共有結合してよく、ハロゲン、オキソ、−ＣＮ、ＮＯ２、ＯＨ、＝Ｃ（ＣＮ）２、−ＮＨ２、−ＮＨ（Ｃ１−２０アルキル）、−Ｎ（Ｃ１−２０アルキル）２、−Ｓ（Ｏ）２ＯＨ、−ＣＨＯ、−Ｃ（Ｏ）ＯＨ、−Ｃ（Ｏ）−Ｃ１−２０アルキル、−Ｃ（Ｏ）−ＯＣ１−２０アルキル、−Ｃ（Ｏ）ＮＨ２、−Ｃ（Ｏ）ＮＨ−Ｃ１−２０アルキル、−Ｃ（Ｏ）Ｎ（Ｃ１−２０アルキル）２、−ＳｉＨ３、−ＳｉＨ（Ｃ１−２０アルキル）２、
−ＳｉＨ２（Ｃ１−２０アルキル）、−Ｓｉ（Ｃ１−２０アルキル）３、−Ｏ−Ｃ１−２０アルキル、−Ｏ−Ｃ１−２０アルケニル、−Ｏ−Ｃ１−２０ハロアルキル、Ｃ１−２０アルキル基、Ｃ１−２０アルケニル基及びＣ１−２０ハロアルキル基から独立して選択される１〜５個の置換基で場合により置換されてよく、
Ｒ４は、各場合において、Ｈ、ハロゲン、−ＣＮ、Ｃ１−4０アルキル基、Ｃ１−4０アルコキシ基及びＣ１−4０ハロアルキル基から独立して選択される及び
ｍ’’は、１，２、３、４、５又は６である］の反復単位を含むポリマー。
【請求項１０】
式Ｉａ’、Ｉｂ’、Ｉａ’’、Ｉｂ’’、式Ｉａ’’’、Ｉｂ’’’、Ｉａ’’’’及びＩｂ’’’’：
【化１１】
2014237844.tif 000011
【化１２】
2014237844.tif 000012
［式中、Ｒ３は、各場合において、ハロゲン、−ＣＮ、Ｃ１−4０アルキル基、Ｃ１−4０アルコキシ基及びＣ１−4０ハロアルキル基から独立して選択され、及びＲ１は、請求項９に定義されるとおりである］の１つ以上の反復単位を含む、請求項９に記載のポリマー。
【請求項１１】
請求項１から１０までのいずれか１項に記載の１種以上のポリマーを含む、電子素子、光学素子及び光電子素子からなる群から選択される製品。
【請求項１２】
請求項１から１０までのいずれか１項に記載の１種以上のポリマーを含む薄膜半導体。
【請求項１３】
前記製品が、請求項１２に記載の薄膜半導体を含む電界効果トランジスタ素子である、請求項１１に記載の製品。
【請求項１４】
前記製品が、請求項１２に記載の薄膜半導体を含む光起電力素子である、請求項１１に記載の製品。
【請求項１５】
前記製品が、請求項１２に記載の薄膜半導体を含む有機発光素子である、請求項１１に記載の製品。